(57)【要約】      （修正有）【課題】一つの河川の流域の現在の雨量、水位状況を容易に判断でき、かつ流域に設置されている複数の観測局に備えられる計測器の計測値および警報レベルを効率よく監視することを可能とする警報表示装置および警報表示方法を提供する。【解決手段】警報表示装置は、複数の計測器のそれぞれによって計測された複数の計測値と、複数の警報レベルの判定基準となる複数の判別値を含むデータを格納するデータ格納部と、警報計測器で計測された計測値に対応する警報レベルを決定し、さらに、複数の判別値のいずれかを超える値の計測値を計測した計測器である警報計測器の数を警報計測器数として取得し、決定部で決定された図形分割法と、警報計測器と警報計測器で計測された計測値に対応する警報レベルに関する情報を出力する出力部と、出力部から出力される図形分割法に基づいて、所定の図形を複数のストリップに分割し表示する表示部と、を含むことを特徴とする。【選択図】図３Ｃ
2014182766.tif 000002
【特許請求の範囲】
【請求項１】
複数の計測器のそれぞれによって計測された複数の計測値と、複数の警報レベルの判定基準となる複数の判別値を含むデータを格納するデータ格納部と、
前記データ格納部に格納されている前記データに基づいて、前記計測器で計測された計測値に対応する前記警報レベルを決定し、さらに、前記複数の判別値のいずれかを超える値の前記計測値を計測した前記計測器である警報計測器の数を警報計測器数として取得し、所定の図形を前記警報計測器数に分割して得られる複数の部分図形のそれぞれをさらに前記複数の警報レベルの数に分割して複数のストリップの集まりに分割する仕方を図形分割法として決定する決定部と、
前記決定部で決定された前記図形分割法と、前記警報計測器と前記警報計測器で計測された計測値に対応する前記警報レベルに関する情報を出力する出力部と、
前記所定の図形の形状を有し、前記出力部から出力される前記分割法に基づいて、前記所定の図形を前記複数のストリップに分割し表示する表示部と、
を含む警報表示装置。
【請求項２】
前記表示部前記所定の図形の形状を有し、前記出力部から出力される前記分割法に基づいて、前記所定の図形を前記複数のストリップに分割し、前記複数のストリップのうち前記警報計測器と前記警報計測器で計測された計測値に対応する前記警報レベルで指定されるストリップを強調表示する、請求項１の警報表示装置。
【請求項３】
決定部は、前記所定の図形を前記警報計測器数の前記複数の部分図形に分割する際、前記複数の部分図形の面積は、前記警報計測器で計測された前記計測値に対応する前記警報レベルに比例する、請求項１または２の警報表示装置。
【請求項４】
決定部は、前記所定の図形を前記警報計測器数に分割して得られる前記部分図形をさらに前記複数の警報レベルの数に分割する際、前記所定の図形を同心図形によって分割する、請求項１乃至３のいずれか一項に記載の警報表示装置。
【請求項５】
さらに、前記警報表示装置の利用者の入力を受ける操作部を備え、
表示部は、前記操作部が操作されると、前記複数のストリップの一部の前記強調表示の形態が変化する、請求項１乃至４のいずれか一項の警報表示装置。
【請求項６】
前記所定の図形は略円形であり、前記部分図形は扇形である、請求項１乃至５のいずれか一項の警報表示装置。
【請求項７】
前記決定部は、前記略円形を前記警報計測器数の前記複数の扇形に分割する際、前記複数の扇形の中心角は、前記警報計測器で計測された前記計測値に対応する前記警報レベルに比例する、請求項６の警報表示装置。
【請求項８】
前記決定部は、前記略円形を前記警報計測器数に分割して得られる前記扇形をさらに前記複数の警報レベルの数に分割する際、前記略円形を同心円によって、半径方向に等間隔に分割する、請求項６または７の警報表示装置。
【請求項９】
前記強調表示は、ランプの点灯状態または点滅状態である、請求項１乃至８のいずれか一項の警報表示装置。
【請求項１０】
コンピュータによって実行される警報表示方法であって、
複数の計測器のそれぞれによって計測された複数の計測値と、複数の警報レベルの判定基準となる複数の判別値を含むデータに基づいて、前記警報計測器で計測された計測値に対応する前記警報レベルを決定する工程と、
前記複数の判別値のいずれかを超える値の前記計測値を計測した前記計測器である警報計測器の数を警報計測器数として取得し、所定の図形を前記警報計測器数に分割して得られる複数の部分図形のそれぞれをさらに前記複数の警報レベルの数に分割して複数のストリップの集まりに分割する仕方を図形分割法として決定する工程と、
前記分割法に基づいて、前記所定の図形を前記複数のストリップに分割し表示する工程と、
を含む警報表示方法。
【請求項１１】
所定の流域内に配置され、それぞれ計測値を計測し複数の計測値を得る複数の計測器と、
警報表示装置であって、
前記複数の計測器のそれぞれによって計測された前記複数の計測値と、複数の警報レベルの判定基準となる複数の判別値を含むデータを格納するデータ格納部と、
前記データ格納部に格納されている前記データに基づいて、前記計測器で計測された計測値に対応する前記警報レベルを決定し、さらに、前記複数の判別値のいずれかを超える値の前記計測値を計測した前記計測器である警報計測器の数を警報計測器数として取得し、所定の図形を前記警報計測器数に分割して得られる複数の部分図形のそれぞれをさらに前記複数の警報レベルの数に分割して複数のストリップの集まりに分割する仕方を図形分割法として決定する決定部と、
前記決定部で決定された前記図形分割法と、前記警報計測器と前記警報計測器で計測された計測値に対応する前記警報レベルに関する情報を出力する出力部と、
前記所定の図形の形状を有し、前記出力部から出力される前記分割法に基づいて、前記所定の図形を前記複数のストリップに分割し表示する表示部と、
を含む警報表示装置と、
を含む警報システム。
【発明の詳細な説明】
【技術分野】
【０００１】
本発明は、警報表示装置、警報表示方法、および警報システムに関する。
【背景技術】
【０００２】
天災に係る警報では、複数の判別値（警報定数と呼ぶこともある）によって警報レベルが分類されていることがある。たとえば、ダムの水分状態や河川の状態をリアルタイムで監視するために必要な水位や雨量などの河川情報に関するデータ値は、観測局（水位局と呼ぶこともある）の計測器によって計測される。計測器で得られたこれらのデータ値の値が、正常な範囲を逸脱しているときは、災害を防ぐために洪水予警報や水防警報などの警報を発する必要があるが、警報にはデータ値によって幾つかのレベルが存在する。素早く正しい警報を発するためにも、計測器が示すデータ値が、警報を発するべき範囲の値であるのかどうか、警報を発するべきであればどの警報レベルか、を防災のための非専門家でも、出来るだけ早く且つ正確に判断することが望ましい。河川情報に関しては、短時間での集中豪雨（ゲリラ豪雨）が多発し、防災管理装置やシステム、国や地方自治体、公的機関、民間機関等が定めた防災に関する規則等に必ずしも精通していない者でも、計測器に表示される情報から、素早く正しいレベルでの警報を発することが望ましい。
【０００３】
ダム管理用制御処理設備（以下、ダムコンとも呼ぶ）には、観測局に設置された計測器で計測された計測値を表示する表示盤があり、異常な計測値を検知した際には警報が発生し、監視員に注意を促す。計測値や計測値に対する警報レベルをリアルタイムで視覚的に表現するには、計測値を直接表示する、時間の経過に合わせてグラフ表示する、警報レベルをランプを用いて表示する、という３つの方法がある。計測値をグラフを用いて表示する方法では、計測値が所定の値を超えたかどうかを視覚的にユーザに向けて表示する。警報レベルをランプを用いて表示する方法では、ランプを点灯または点滅させることによって、または発光色を変えることによって、警報レベルを視覚的にユーザに向けて表示する。一般には、数字を直接表示する方法だけでは、計測値の警報レベルを判別することが難しいため、グラフによって表示やランプの点灯を併用する。
【０００４】
一般に、ダムコンが監視している観測局は複数ある。さらに、複数の判別値によって警報レベルが分類されることがある。例えば、国や地方自治体、公的機関、民間機関等が定めた防災に関する規則では、警報レベルの数は４であり得る。
【先行技術文献】
【特許文献】
【０００５】
【特許文献１】特開平６−２７６５６５号
【発明の概要】
【発明が解決しようとする課題】
【０００６】
観測局ごとに警報表示装置を用意すると、一つの流域に属する複数の観測局に設置された計測器で計測された計測値から、流域全体の警報情報を効率よく視認するのが難しいという問題がある。
【０００７】
よって、一つの側面として、本発明は、一つの河川の流域に設置されている複数の観測局に備えられる計測器の計測値に対応する警報レベルを一目で視認することを可能とする警報表示装置、警報表示方法、および警報システムを提供することを目的とする。
【課題を解決するための手段】
【０００８】
警報表示装置は、複数の計測器のそれぞれによって計測された複数の計測値と、複数の警報レベルの判定基準となる複数の判別値を含むデータを格納するデータ格納部と、データ格納部に格納されているデータに基づいて、警報計測器で計測された計測値に対応する警報レベルを決定し、さらに、複数の判別値のいずれかを超える値の計測値を計測した計測器である警報計測器の数を警報計測器数として取得し、所定の図形を警報計測器数に分割して得られる複数の部分図形のそれぞれをさらに複数の警報レベルの数に分割して複数のストリップの集まりに分割する仕方を図形分割法として決定する決定部と、決定部で決定された図形分割法と、警報計測器と警報計測器で計測された計測値に対応する警報レベルに関する情報を出力する出力部と、所定の図形の形状を有し、出力部から出力される図形分割法に基づいて、所定の図形を複数のストリップに分割し表示する表示部と、を含むことを特徴とする。
【発明の効果】
【０００９】
一つの河川の流域に設置されている複数の観測局に備えられる計測器の計測値に対応する警報レベルを一目で視認することができる。
【図面の簡単な説明】
【００１０】
【図１】実施形態の警報表示装置および方法が適用される状況の例を説明する図である。
【図２】実施形態の警報表示装置の機能ブロック図の例である。
【図３Ａ】実施形態の警報表示装置の表示部における表示の例である。
【図３Ｂ】実施形態の警報表示装置の表示部における表示の別の例である。
【図３Ｃ】実施形態の警報表示装置の表示部における表示のさらに別の例である。
【図４】実施形態の警報表示装置の構成の例を示す図である。
【図５】実施形態の警報表示装置の表示部における表示に伴う処理の流れの例を示すフローチャートである。
【図６】図５のフローチャートで表される処理の中の円図形分割数と警報発生局の警報レベルの決定のプロセスでの処理の流れの例を示すフローチャートである。
【図７】図６のフローチャートで表される処理の中の観測局の警報レベルの決定処理の過程で生成されるテーブルの例を示すである。
【図８】図６のフローチャートで表される処理の中の観測局の警報レベルの決定処理の結果として生成されるテーブルの例を示すである。
【図９】図５のフローチャートで表される処理の中の動的な分割領域の設定のプロセスでの処理の流れの例を示すフローチャートである。
【図１０】図９のフローチャートで表される処理の結果として生成されるテーブルの例を示す図である。
【図１１】図５のフローチャートで表される処理の中の警報発生観測局の対象領域の点灯のプロセスでの処理の流れの例を示す図である。
【発明を実施するための形態】
【００１１】
以下では、実施形態の一例として、複数の観測局に備えられる計測器で計測された計測値のうち、警報を発すべき値に達した計測値の数だけ所定の図形、たとえば円図形を部分図形、たとえば扇形に分割するとともに、警報レベルの設定数に合わせてそれぞれの部分図形を同心図形に分割し、警報が発せられた計測値の警報レベルに対応した扇形の区域を点灯／点滅させる警報表示装置、警報表示方法、および警報システムが提供される。
【００１２】
また、以下では、ダム管理用制御処理設備（以下、ダムコンとも呼ぶ）など、河川の流域に配置された複数の観測局（水位局と呼ぶこともある）に備えられる計測器よって計測され、警報を発すべき値に達した計測値をまとめて表示をする警報表示装置および方法について記載する。
【００１３】
一般に、一箇所の観測局に備えられる計測器による水位の計測と、それに基づく警報の発生だけでは、河川の流域全体での監視ができないということがある。たとえば、水位の上昇が、ゲリラ豪雨によるものであるのか、長期的な降雨によるものなのであるのかを判別することが難しいということがある。しかしながら、下記の実施形態に従う警報表示装置、警報表示方法、および警報システムでは、河川の流域に配置された複数の計測器で計測された計測値に対応する警報レベルを一つの所定の図形内に表示することによって、流域全体の状況を一目で視認することができる。また、警報表示装置のための設置スペースを節約することができる。
【００１４】
また、以下の実施形態の警報表示装置、警報表示方法、および警報システムは、複数の観測局を有し、計測値が複数の警報レベルによって分類されるような任意の状況に適用可能である。
【００１５】
また、以下では、複数の判別値（警報定数と呼ぶこともある）によって警報レベルが分類されている状況を想定する。また、以下では計測値は、河川の水位を想定するが、観測点における雨量など他の計測値であってもよい。
【００１６】
図１は、実施形態の警報表示装置および方法が適用される状況の例を説明する図である。
図１には、それぞれ山Ｍ１、Ｍ２を有する２つの流域Ａ、Ｂが示されている。山Ｍ１を有する流域Ａに降った雨量１の雨の水は、河川を下流に流れる。流域Ａには、３つの観測局が設置されている。３つの観測局は、観測点Ａ−１、Ａ−２、Ａ−３の３箇所に設置されている。観測点Ａ−１は、観測点Ａ−２の上流に位置する。観測点Ａ−３は、観測点Ａ−１、Ａ−２を含む河川とは別の系統の河川に含まれる。
【００１７】
山Ｍ２を有する流域Ｂは、２つの観測局が設置されている。各観測局には、水位等を計測する計測器が設置されている。２つの観測局は観測点Ｂ−１、Ｂ−２に設置されている。山Ｍ２を有する流域Ｂに降った雨量２の雨に起因する河川の水位の変化は、観測点Ｂ−１、Ｂ−２に設置された計測器で計測される。
【００１８】
以下では、観測点Ｘに設置されている観測局を、観測局Ｘと呼ぶことがある。また、ある観測局に備えられる計測器を単に、観測局と呼ぶこともある。
【００１９】
たとえば、山Ｍ１に非常に大きな量（雨量１）の雨が降るとする。観測点Ａ−２には少なくとも、観測点Ａ−１を含む河川の水と、もう一つ別の河川の水が合流した量の水が流れる。そのほかに、河川の沿岸から流入する水も存在する。
【００２０】
図１に示されている状況では、それぞれの流域には、複数の観測局が設置される。また、河川の水量に関しては、公的機関またはその他の機関（民間機関など）が警報を発する基準となる計測値に対する判別値（警報定数）が存在し、計測値は、正常な値のほかに複数の警報レベルに分類される。警報レベルの数の例は４である。たとえば、流域Ａの各観測局Ａ−１、Ａ−２、Ａ−３について警報レベルごとに警報ランプを１つずつ用意すると、流域Ａだけで１２個の警報ランプが必要である。また、観測局の計測値ごとに１つの表示ができるとしても、流域Ａだけで３つの表示装置が必要である。それに対し、以下で説明する警報表示装置では、１つの表示部で流域全体の警報情報を表示する、たとえば、円を、警報レベルに達した観測局の数の扇形に、中心角が警報レベルに比例するように分割し、各観測局に対応する扇形の警報レベルに対応する領域を点灯して表示することで、流域全体の警報状況を容易に把握できる。
【００２１】
以下で説明する警報表示装置の例は次のような技術的特徴を有する：
（Ｃ１）１つの円形またはドーナツ形状の表示部に、それぞれ計測器を備える複数の観測局で得られた計測値とその警報レベルを表示する、
（Ｃ２）円形またはドーナツ形状の表示部を、観測局で得られた計測値の表示のための扇型に分割するときの角度を動的に変化させる、
（Ｃ３）円形またはドーナツ形状を同心円状に分割し、円形またはドーナツ形状の中心に近いほど警報レベルが低いとし、各観測局に対応する扇型領域のうちの警報レベルに対応するストリップを点灯させる、
（Ｃ４）警報レベルの高さに応じて、観測局が並ぶ順番、つまり扇型領域の並ぶ順番を変化させる。
【００２２】
特徴（Ｃ１）は、計測値が警報を発するべき値以上である観測局の計測値とその警報レベルについてのみ表示するという意味を含む。また、円形は略円形であっても良い。このように複数の警報レベルで区分される複数の計測値を同時に表示させることにより、表示スペースの削減を図ることができる。また、流域内の複数ある計測値の状況を効率的に監視することが可能となる。また、円形または略円形の表示部を用いることで、流域全体の状況を容易に把握できる。
【００２３】
特徴（Ｃ２）では、警報レベルが高いほど、扇型の中心角を大きくしても良い。円をＮ分割するとき、円図形分割数はＮであるという。警報レベルに合わせて分割比率を動的に変化させることにより、危険箇所の特定を容易にできる。
【００２４】
特徴（Ｃ４）では、警報レベルが高い順に、円形またはドーナツ形状の１２時方向から時計回りに配列しても良い。このような特徴を有することによって、どの観測地点の計測値がどの警報レベルにあるのかを視覚的に効率的に把握することができる。
【００２５】
特徴（Ｃ−１）〜（Ｃ−４）は、円形またはドーナツ形状の表示部を有する警報表示装置に関している。しかしながら、円形またはドーナツ形状は他の所定の図形、たとえば多角形で会ってもよい。そのような場合でも、表示部が円形またはドーナツ形状である装置と同様の作用効果を得ることができる。
【００２６】
＜警報表示装置＞
図２は実施形態の警報表示装置の機能ブロック図の例である。
【００２７】
警報表示装置１００では、ダムおよびダムに繋がる河川にまたはそれらの周囲に配置された複数の計測器によって計測された計測値または季節や天候等の気象状況を監視する。計測値および気象状況に基づいて、ダムからの放水量を調整する弁や、河川に配置されたゲートなどの河川設備を制御する。また、ダムコントロールシステム１０は、公的機関またはその他の機関（民間機関など）が警報を発令する基準となる各計測値に対する判別値（警報定数）と計測値を比較して、警報表示装置１００の利用者に対して、河川の沿岸住民等に災害警報を発することを促す表示をする。表示としては、ランプの点灯など光による表示のほか、ブザーを鳴らすなど音による表示が含まれる。
【００２８】
警報表示装置１００は、複数の計測器で計測された複数の計測値を収集したり、各計測値に対する判別値（警報定数）を入力するなどのための処理を行うための端末Ａ１０４を含んでいる。一つの端末で一つの測定器によって計測された測定値を処理してもよいし、一つの端末で複数の計測器からの計測値を処理することもできる。また、端末１０４には、（図示されていない）ディスプレイ、入力装置が接続されている。入力装置はマウス、キーボード、テンキーなどで構成される。
【００２９】
警報表示装置１００は、複数の観測局で計測された警報閾値以上の計測値を警報レベルとともに、同時に表示する。つまり、複数の観測局で計測された計測値を一つの警報表示装置１００でコンパクトに表示することができる。このことから、迅速な防災体制を敷くことができ、災害を最小限に抑えることができる。
【００３０】
以下で詳細に説明するように、表示装置１００の表示部１１０は、円形またはドーナツ形状であり得る。ドーナツ形状の場合、中心部分には文字情報等を表示するようにしても良い。
【００３１】
警報表示装置１００は、上述の端末Ａ１０４、表示部１１０、表示制御部１１４、および操作部１１６を含んでいる。
【００３２】
入力処理部１２２は、端末Ａ１０４に接続され、端末Ａ１０４からデータを受ける。これらの端末Ａ１０４から受けるデータには、計測器で計測された計測値や河川の沿岸地域の天気や時期等の気象条件などの河川情報、端末から入力された各計測値に対する判別値（警報定数）が含まれる。
【００３３】
データ格納部１２４には、端末Ａ１０４から受けた河川情報、およびデータ格納部１２４に警報表示装置１００の利用者によって入力された判別値（警報定数）が格納される。河川情報には、どの流域に属するかに関する情報を含む。このようにデータ格納部１２４は、観測局に設置される複数の計測器のそれぞれによって計測された複数の計測値と、複数の警報レベルの判定基準となる複数の判別値（警報定数）を含むデータを格納する。
【００３４】
また、データ格納部１２４には、後述の図７、図８、図１０、図１１のように、決定部１２６の処理に伴って生成されるテーブルを格納しても良い。
【００３５】
決定部１２６では、計測器で計測された計測値を判別値と比較して、表示部１１０での表示の仕方を決定する。たとえば、決定部１２６は、複数の観測局で計測された計測値のうち、警報を発すべき値に達した計測値の数だけ円図形を扇形に分割するとともに、警報レベルの設定数に合わせてそれぞれの扇形を同心円状に分割し、警報が発せられた計測値の警報レベルに対応した扇形の区域を点灯／点滅させるように、表示部１１０での表示の仕方を決定する。以下で詳しく説明するが、図３Ａ〜３Ｃに示されているように、複数の観測局で計測された計測値のうち、警報を発すべき値に達した計測値の数（円図形分割数）だけ円図形を扇形に分割するとともに、警報レベルの設定数に合わせてそれぞれの扇形を同心円状に分割し、警報が発せられた計測値の警報レベルに対応した扇形の区域（ストリップとも呼ぶ）を点灯／点滅させる。たとえば、計測値の警報レベルに変化があったとき、対応する扇状の区域を点滅させ、ユーザが状況の変化を確認し、操作部１１６を操作すると点灯状態に遷移させても良い。
【００３６】
決定部１２６によって決定された表示部１１０での表示の仕方は、表示出力部１３０に送られる。判別値は天気や季節（洪水期であるか、非洪水期であるかなど）によって自動的に変化させても良い。
【００３７】
このように決定部１２６は、データ格納部１２４に格納されているデータに基づいて、警報計測器で計測された計測値に対応する警報レベルを決定する。さらに、決定部１２６は、複数の判別値のいずれかを超える値の計測値を計測した計測器である警報計測器の数を警報計測器数として取得し、所定の図形を警報計測器数に分割して得られる複数の部分図形のそれぞれをさらに複数の警報レベルの数に分割して複数のストリップの集まりに分割する仕方を図形分割法として決定する。ここで、所定の図形は、略円形、正多角形などであっても良い。所定の図形は連続的または離散的な回転対象性を有することが望ましい。所定の図形が円形のとき、部分図形は扇形であってもよい。また、決定部１２６は、所定の図形、たとえば円を警報計測器数の複数の部分図形、たとえば扇形に分割する際、複数の部分図形のそれぞれの面積は、警報計測器で計測された計測値に対応する警報レベルに比例しても良い。円から切り取られた扇形の面積は、中心角に比例する。また、決定部１２６は、所定の図形、たとえば円を警報計測器数に分割して得られる部分図形、たとえば扇形をさらに複数の警報レベルの数に分割する際、所定の図形を同心図形によって分割しても良い。たとえば、所定の図形が略円形である場合、同心円で区分けされるように、一つの扇形を複数のストリップに分割しても良い。
【００３８】
操作部１１６の一例は、ボタンによって構成される。操作部１１６は、たとえば、表示部１１０における表示で点滅と点灯で意味がことなる場合、点灯／点滅状態の変化のために警報表示装置１００の利用者によって操作される。
【００３９】
また操作部１１６には、警報表示装置１００の利用者が、後に説明する表示部１１０の表示を選択するための入力を行っても良い。このために、操作部１１６は、ボタンやキーボードやテンキーを備えていても良い。
【００４０】
表示制御部１１４は、入力処理部１２２、データ格納部１２４、決定部１２６、操作入力部１２８、および表示出力部（単に出力部とも呼ぶ）１３０を含んでいる。表示出力部１３０は、表示部１１０に接続されている。
【００４１】
操作部１１６に入力された警報表示装置１００のユーザの指示は操作入力部１２８に送られる。操作入力部１２８では、利用者の指示を決定部１２６、表示出力部１３０に転送する。
【００４２】
表示出力部（出力部とも呼ぶ）１３０は、表示部１１０に接続されている。表示出力部１３０は、決定部１２６で決定された図形分割法と、警報計測器と警報計測器で計測された計測値に対応する前記警報レベルに関する情報を表示部１１０に出力する。
【００４３】
このように表示出力部１３０は、決定部１２６で決定された円分割法と、警報計測器と警報計測器で計測された計測値に対応する警報レベルに関する情報を送る。
【００４４】
表示部１１０は、ＬＥＤ等のランプを集め、それらを所定の図形の形になるように配置することによって構成される。所定の図形は略円形であり得る。ランプのそれぞれは、表示出力部１３０からの命令によって強調表示する。強調表示は、点灯または消灯であり得る。ランプが短い時間間隔で点灯と消灯を繰り返すとき、ランプは点滅すると呼ばれる。また、表示部１１０のランプは、複数のランプが同期して動作することによって、所定の情報に関する表示をする。表示部１１０の表示は、データ格納部１２４に格納されたデータを参照して決定部１２６でなされた決定に従って、または操作入力部１２８からの命令に従って、表示出力部１３０が表示部１１０の各ランプの動作を制御することによって得られる。
【００４５】
このように表示部１１０は、たとえば円などの所定の図形の形状を有し、表示出力部１３０から出力される図形分割法に基づいて、所定の図形を複数のストリップに分割し表示する。また、表示部１１０は、複数のストリップのうち警報計測器と警報計測器で計測された計測値に対応する警報レベルで指定されるストリップを強調表示する。強調表示とは点灯または点滅であり得る。
【００４６】
表示部１１０が複数の強調表示を有するとき、それらの強調表示の間の遷移は、操作部１１６からの警報表示装置１００のユーザの指示によって引き起こされても良い。たとえば、表示部１１０のランプの点滅状態から点灯状態への遷移または点灯状態から点滅状態への遷移は、操作部１１６からの警報表示装置１００のユーザの指示によって引き起こされても良い。
【００４７】
表示部１１０の表示は、警報表示装置１００の操作部１１６を介して利用者からの入力に基づいてレイアウトされる。利用者からの入力に関する情報を操作部１１６から受けた操作入力部１２８は、その情報を表示出力部１３０に送る。表示出力部１３０では、決定部１２６がデータ格納部１２４に格納されたデータおよび／または入力処理部１２２が外部の端末１０４から受けたデータに基づいて決定した、河川情報に関連する計測値に関する情報を警報情報と共に表示する。
【００４８】
＜表示部の表示＞
図３Ａ〜３Ｃを参照して、警報表示装置１００の表示部１１０の表示について説明する。本例では、表示部１１０は円形をしているものとする。しかしながら、表示部１１０は他の形状であっても良い。また、表示部１１０は、中心部分に流域と総雨量が表示されるように構成されている。
【００４９】
図３Ａ〜３Ｃでは、警報レベルの数が４である状況を想定するが、もちろん、警報レベルの数は４以外の値であ会ってもよい。
【００５０】
図３Ａは下の表１のように、観測点Ａ−１での計測値だけが警報レベル１に相当し、他の観測点Ａ−２、Ａ−３での計測値は、警報レベルに達していない状況を示す表示の例である。
【表１】
2014182766.tif 000003
【００５１】
表１では、その値を超えると警報を発する警報定数以上の測定値を有する観測点は観測点Ａ−１の１箇所のみである。よって、図３Ａにおいて、警報表示装置１００の表示部１１０の円は複数の扇形には分割されない。警報表示装置１００の表示部１１０の円は同心円によって４つの領域２０１、２０２、２０３、２０４に分割される。
【００５２】
中心部分２１１には、流域は図１の流域Ａで総雨量が雨量１であることが示されている。
【００５３】
このとき、円は観測点Ａ−１における警報レベルを表示することができる。たとえば、領域２０１が点灯すれば、観測点Ａ−１で警報レベル１に相当する計測値が計測されたことを示す。よって、図３Ａでは、領域２０１が点灯している。領域２０１および領域２０２が点灯すれば、観測点Ａ−１で警報レベル２に相当する計測値が計測されたことを示し、領域２０１、領域２０２および領域２０３が点灯すれば、観測点Ａ−１で警報レベル３に相当する計測値が計測されたことを示す。また、領域２０１〜２０４の全ての領域が点灯すれば、観測点Ａ−１で警報レベル４に相当する計測値が計測されたことを示す。
【００５４】
このように、複数の警報レベルがある、複数の計測値を同時に表示させることにより、表示スペースの削減を図ることができる。
【００５５】
図３Ｂは下の表２のように、観測点Ａ−１とＡ−２の計測値が警報レベル１に相当し、観測点Ａ−３での計測値は、警報レベルに達していない状況を示す表示の例である。
【表２】
2014182766.tif 000004
【００５６】
表２では、その値を超えると警報を発する警報定数以上の測定値を有する観測点（警報発生局）は観測点Ａ−１、Ａ−２の２箇所である。しかも、観測点Ａ−１、Ａ−２の計測値はいずれも、警報レベル１に相当する。よって、図３Ｂでは、警報表示装置１００の表示部１１０の円は２つの半円に分割される。このとき、円図形分割数は２である。さらに、警報表示装置１００の表示部１１０の円は同心円によって４つの領域に分割される。結局、円は８個のストリップ２０１ａ、２０１ｂ、２０２ａ、２０２ｂ、２０３ａ、２０３ｂ、２０４ａ、２０４ｂに分割される。ストリップ２０１ａが点灯すれば、観測点Ａ−１で警報レベル１に相当する計測値が計測されたことを示す。ストリップ２０１ｂが点灯すれば、観測点Ａ−２で警報レベル１に相当する計測値が計測されたことを示す。よって、図３Ｂでは、ストリップ２０１ａ、２０１ｂが点灯している。ストリップ２０１ａおよびストリップ２０２ａが点灯すれば、観測点Ａ−１で警報レベル２に相当する計測値が計測されたことを示す。以下、ストリップ２０２ｂ、２０３ａ、２０３ｂ、２０４ａ、２０４ｂについても同様である。
【００５７】
また、中心部分２１１には、流域は図１の流域Ａで総雨量が雨量１であることが示されている。
【００５８】
このように、警報発生数に合わせて、円形の分割数を動的に決定することによって、表示部１１０を効率的に利用して、必要な情報を警報表示装置１００のユーザに示すことができる。また、同じ流域内の複数ある計測値の状況を効率的に監視することができる。
【００５９】
図３Ｃは、下の表３のように、観測点Ａ−１とＡ−２の計測値が警報レベル２に相当し、観測点Ａ−３での計測値が警報レベル１に相当する状況を示す表示の例である。
【表３】
2014182766.tif 000005
【００６０】
表３では、観測点Ａ−１〜Ａ−３の全ての地点の計測値が警報定数以上であり、しかも観測点Ａ−１、Ａ−２の計測値は警報レベル２に相当し、観測点Ａ−３では警報レベル１に相当する。よって、図３Ｃでは、警報表示装置１００の表示部１１０の円は観測点Ａ−１、Ａ−２、Ａ−３に対応する３つの扇形に分割され、その３つの中心角は、警報レベルの大きさに比例して、２：２：１である。すなわち、観測点Ａ−１に対応する扇形（２０１ａ、２０２ａ、２０３ａ、２０４ａ）の中心角は３６０／（２＋２＋１）×２＝１４４度、観測点Ａ−２に対応する扇形（２０１ｂ、２０２ｂ、２０３ｂ、２０４ｂ）の中心角は３６０／（２＋２＋１）×２＝１４４度、観測点Ａ−３に対応する扇形（２０１ｃ、２０２ｃ、２０３ｃ、２０４ｃ）の中心角は３６０／（２＋２＋１）×１＝７２度である。結局、円は１２個のストリップ２０１ａ、２０１ｂ、２０１ｃ、２０２ａ、２０２ｂ、２０２ｃ、２０３ａ、２０３ｂ、２０３ｃ、２０４ａ、２０４ｂ、２０４ｃに分割される。ストリップ２０１ａが点灯すれば、観測点Ａ−１で警報レベル１に相当する計測値が計測されたことを示す。このように、警報レベルに合わせて分割比率を動的に変化させることにより、警報表示装置１００のユーザは表示部１１０の表示から、危険箇所の特定を容易にできる。
【００６１】
図３Ｃの例では、観測点Ａ−１の計測値に対応するストリップ２０１ａ、２０２ａ、２０３ａ、２０４ａのうち、警報レベル２に対応するストリップ２０１ａおよび２０２ａが点灯する。また、観測点Ａ−２の計測値に対応するストリップ２０１ｂ、２０２ｂ、２０３ｂ、２０４ｂのうち、警報レベル２に対応するストリップ２０１ｂおよび２０２ｂが点灯する。また、観測点Ａ−３の計測値に対応するストリップ２０１ｃ、２０２ｃ、２０３ｃ、２０４ｃのうち、警報レベル１に対応するストリップ２０１ｃが点灯する。
【００６２】
上では、各ストリップ、たとえばストリップ２０１ａは点灯するのみであった。しかしながら、たとえば、ストリップ２０１ａは当初は点滅し、警報表示装置１００のユーザが、操作部１１６を操作することによって、点滅状態から点灯状態に遷移させても良い。操作部１１６がボタンの場合、操作部１１６の操作とは、ボタンを押すことであっても良い。このように、表示部１１０の表示で、点滅状態と点灯状態を使い分けることによって、警報表示装置１００のユーザは、流域の状況の変化を確実に把握することができる。
【００６３】
次に図４を用いて、警報表示装置１００に使用可能なコンピュータ１２００の構成の例について説明する。
【００６４】
コンピュータ１２００は、ＭＰＵ１２０２、ＲＯＭ１２０４、ＲＡＭ１２０６、ハードディスク装置１２０８、入力装置１２１０、表示装置１２１２、インタフェース装置１２１４、及び記録媒体駆動装置１２１６を備えている。なお、これらの構成要素はバス１２２０を介して接続されており、ＭＰＵ１２０２の管理の下で各種のデータを相互に授受することができる。
【００６５】
ＭＰＵ（Ｍｉｃｒｏ  Ｐｒｏｃｅｓｓｉｎｇ  Ｕｎｉｔ）１２０２は、このコンピュータ１２００全体の動作を制御する演算処理装置であり、コンピュータ１２００の制御処理部として機能する。
【００６６】
ＲＯＭ（Ｒｅａｄ  Ｏｎｌｙ  Ｍｅｍｏｒｙ）１２０４は、所定の基本制御プログラムが予め記録されている読み出し専用半導体メモリである。ＭＰＵ１２０２は、この基本制御プログラムをコンピュータ１２００の起動時に読み出して実行することにより、このコンピュータ１２００の各構成要素の動作制御が可能になる。
【００６７】
ＲＡＭ（Ｒａｎｄｏｍ  Ａｃｃｅｓｓ  Ｍｅｍｏｒｙ）１２０６は、ＭＰＵ１２０２が各種の制御プログラムを実行する際に、必要に応じて作業用記憶領域として使用する、随時書き込み読み出し可能な半導体メモリである。
【００６８】
ハードディスク装置１２０８は、ＭＰＵ１２０２によって実行される各種の制御プログラムや各種のデータを記憶しておく記憶装置である。ＭＰＵ１２０２は、ハードディスク装置１２０８に記憶されている所定の制御プログラムを読み出して実行することにより、後述する各種の制御処理を行えるようになる。このコンピュータ１２００を図２の警報表示装置１００として使用する場合には、このハードディスク装置１２０８が、データ格納部１２４として利用され得る。
【００６９】
入力装置１２１０は、図２の操作部１１６に相当する。図２の装置の利用者により操作されると、その操作内容に対応付けられている各種情報の入力を取得し、取得した入力情報をＭＰＵ１２０２に送付する。
【００７０】
表示装置１２１２は、表示部１１０に相当し、ＭＰＵ１２０２から送付されるデータに応じて数字、図面、音声等の表示を行う。
【００７１】
インタフェース装置１２１４は、このコンピュータ１２００に接続される各種機器との間での各種情報の授受の管理を行う。より具体的には、インタフェース装置１２１４は、例えば、端末Ａ１０４から通信ネットワークを介して行われる、河川データ等のデータの受け取りを管理する。
【００７２】
記録媒体駆動装置１２１６は、可搬型記録媒体１２１８に記録されている各種の制御プログラムやデータの読み出しを行う装置である。ＭＰＵ１２０２は、可搬型記録媒体１２１８に記録されている所定の制御プログラムを、記録媒体駆動装置１２１６を介して読み出して実行することによって、後述する各種の制御処理を行うようにすることもできる。なお、可搬型記録媒体１２１８としては、例えばＵＳＢ（Ｕｎｉｖｅｒｓａｌ  Ｓｅｒｉａｌ  Ｂｕｓ）規格のコネクタが備えられているフラッシュメモリ、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などがある。
【００７３】
このようなコンピュータ１２００を用いて警報表示装置１００を構成するには、例えば、後述する各種の制御処理をＭＰＵ１２０２に行わせるための制御プログラムを作成する。作成された制御プログラムはハードディスク装置１２０８若しくは可搬型記録媒体１２１８に予め格納しておく。そして、ＭＰＵ１２０２に所定の指示を与えてこの制御プログラムを読み出させて実行させる。こうすることで、警報表示装置１００が備えている機能がＭＰＵ１２０２により提供される。従って、このコンピュータ１２００が警報表示装置１００として機能するようになる。
【００７４】
このように、複数の観測局で計測された計測値のうち、警報が発せられた計測値の数だけ円図形を扇型に分割するとともに、警報レベルの設定数に合わせてそれぞれの扇形を同心円状に分割し、警報が発せられた計測値の警報レベルに対応する扇形領域を表示することによって、防災の非専門家であっても河川の流域全体の状況を視覚的に素早く認識することができる。
【００７５】
また、上記の警報表示装置と、図１に示されているようにある流域の河川の観測点に配置された計測器は、警報システムを構成する。計測器によって計測された計測値は、警報表示装置１００の表示制御部１１４の入力処理部１２２に入力される。
【００７６】
上記のような警報表示装置、警報システムによって、流域に設置されている複数の観測局に備えられる計測器の計測値に対応する警報レベルを一目で視認し、一つの河川の流域全体の雨量、水位状況を容易に判断することができる。
【００７７】
＜警報表示装置の処理＞
図５〜１１を参照して、警報表示装置１００の処理について説明する。
【００７８】
図５は、実施形態の警報表示装置の表示部における表示に伴う処理の流れの例を示すフローチャートである。以下の処理は定期的に、または連続的に繰り返し処理される。また、装置が図４に示されているような汎用コンピュータである場合には、下記の説明は、そのような処理を行う制御プログラムを定義する。すなわち、以下の説明は、汎用コンピュータに行わせる制御プログラムの説明でもある。
【００７９】
Ｓ１００で警報表示装置１００の決定部１２６は、データ格納部１２４に格納されたデータを用いて、円図形分割数と警報発生局の警報レベルを決定する。また、Ｓ１００では、円を同心円状に警報レベルの数に分割する。
【００８０】
例えば図３Ｂに示されているような状況では、警報表示装置１００の決定部１２６は、表示制御部１１４のデータ格納部１２４に格納されている各観測局の計測データを参照し、その値を超えると警報を発する警報定数以上の測定値を有する観測点（警報発生局）の数から円図形分割数を２と決定する。また、警報発生局における測定値はともに警報レベル１であると決定する。
【００８１】
図６は、図５のＳ１００の処理についての詳しい処理の流れを示すフローチャートである。
Ｓ１０２で警報表示装置１００の決定部１２６は、パラメータの初期化を行う。本処理でのパラメータは、観測局を指定する整数ｉ、警報が発生した観測局（警報発生局）の数を表す整数ｃ、警報発生局の計測値が対応する警報レベルｊである。これらをたとえば、ｉ＝０、ｃ＝０、ｊ＝１のように初期値に設定する。そして、処理はＳ１０４に進む。
【００８２】
Ｓ１０４で警報表示装置１００の決定部１２６は、観測局を指定する整数ｉを１つ増やす。そして、処理はＳ１０６に進む。
【００８３】
Ｓ１０６で警報表示装置１００の決定部１２６は、データ格納部１２４からｉ番目の観測局の測定値Ｍｉを取得する。そして、処理はＳ１０８に進む。
【００８４】
Ｓ１０８で警報表示装置１００の決定部１２６は、ｉ番目の観測局の測定値Ｍｉは、ｉ番目の観測局のｊ番目の警報定数Ｋｉｊより大きいか、つまりＭｉ＜Ｋｉｊであるかどうかを判定する。この判定の結果がＮＯ、すなわちｉ番目の観測局のｊ番目の警報定数Ｋｉｊより以上（Ｍｉ≧Ｋｉｊ）であれば、Ｓ１１０に進む。また、この判定の結果がＹＥＳ、すなわちｉ番目の観測局のｊ番目の警報定数Ｋｉｊより小さければ（Ｍｉ＜Ｋｉｊ）、Ｓ１１２に進む。
【００８５】
Ｓ１１０で警報表示装置１００の決定部１２６は、ｊの値を１つ増やす。そして、Ｓ１０８に進む。
【００８６】
Ｓ１０８、Ｓ１１０の処理では、図７のような観測局と各観測局の計測値に対応する警報レベルのテーブルが作成される。図７は、１番目の観測局の計測値が警報レベル１に相当する状況を示している。
【００８７】
Ｓ１１２で警報表示装置１００の決定部１２６は、ｉ番目の観測局の警報レベルをＬｉ＝ｊ−１に設定する。そして、処理はＳ１１４に進む。
【００８８】
Ｓ１１４で警報表示装置１００の決定部１２６は、ｉ番目の観測局の警報レベルＬｉは０かどうかを判定する。この判定の結果がＮＯ、すなわちｉ番目の観測局の警報レベルＬｉは０でない場合は、Ｓ１１６に進む。この判定の結果がＹＥＳ、すなわちｉ番目の観測局の警報レベルＬｉは０である場合は、Ｓ１１８に進む。
【００８９】
Ｓ１１６で警報表示装置１００の決定部１２６は、警報が発生した観測局の数ｃの値を１つ増やす。そして、処理はＳ１１８に進む。
【００９０】
Ｓ１１８で警報表示装置１００の決定部１２６は、パラメータｉが観測局の総数Ｎ以上かを判定する。この判定の結果がＮＯ、すなわちパラメータｉが観測局の総数Ｎより小さい場合、Ｓ１０２に進む。この判定の結果がＹＥＳ、すなわちパラメータｉが観測局の総数Ｎ以上である場合、処理は終了する。
【００９１】
図６の処理の結果、警報表示装置１００の決定部１２６は、図８のような各観測局とそこで計測された計測値が対応する警報レベルの情報を含むテーブルを作成する。
図７、図８のようなテーブルは一旦、データ格納部１２４に格納されても良い。
【００９２】
図５に戻って、Ｓ２００で警報表示装置１００の決定部１２６は、動的な分割領域の設定をする。
図３Ｂの例では、警報発生局Ａ−１、Ａ−２における測定値はともに警報レベル１であるので、警報表示装置１００の表示部１１０の円は２つの半円に分割される。
【００９３】
図３Ｃの例では、観測点Ａ−１〜Ａ−３の全ての地点の計測値が警報定数以上であり、しかも観測点Ａ−１、Ａ−２の計測値は警報レベル２に相当し、観測点Ａ−３では警報レベル１に相当する。よって、図３Ｃでは、警報表示装置１００の表示部１１０の円は観測点Ａ−１、Ａ−２、Ａ−３に対応する３つの扇形に分割され、その３つの中心角は、警報レベルの大きさに比例して、２：２：１となるように円を分割する。すなわち、観測点Ａ−１に対応する扇形（２０１ａ、２０２ａ、２０３ａ、２０４ａ）の中心角は３６０／（２＋２＋１）×２＝１４４度、観測点Ａ−２に対応する扇形（２０１ｂ、２０２ｂ、２０３ｂ、２０４ｂ）の中心角は３６０／（２＋２＋１）×２＝１４４度、観測点Ａ−３に対応する扇形（２０１ｃ、２０２ｃ、２０３ｃ、２０４ｃ）の中心角は３６０／（２＋２＋１）×１＝７２度となるように分割する。
【００９４】
図９は、図５のＳ２００の処理についての詳しい処理の流れを示すフローチャートである。
Ｓ２０２で警報表示装置１００の決定部１２６は、パラメータの初期化を行う。本処理でのパラメータは、観測局を指定する整数ｉと、警報発生局の数を表す整数ｋである。これらをたとえば、ｉ＝０、ｋ＝１のように初期値に設定する。そして、処理はＳ２０４に進む。
【００９５】
Ｓ２０４で警報表示装置１００の決定部１２６は、ｉ番目の観測局の警報レベルをＬｉを全ての観測局にわたる和Ｌを計算する。Ｌは、次式で表される。
【数１】
2014182766.tif 000006
この和Ｌは、円を複数の扇形に分割する際、各扇形の中心角を決定する際に用いられる。そして、処理はＳ２０６に進む。
【００９６】
Ｓ２０６で警報表示装置１００の決定部１２６は、警報が発生した観測局の数ｃは０かどうかを判定する。この判定がＮＯ、すなわち警報が発生した観測局の数ｃは１以上であれば、Ｓ２０８に進む。また、この判定がＹＥＳ、すなわち警報が発生した観測局の数ｃは０であれば、Ｓ２１６に進む。
【００９７】
Ｓ２０８で警報表示装置１００の決定部１２６は、観測局を指定するパラメータｉを１つ増やす。
【００９８】
次のＳ２１０で警報表示装置１００の決定部１２６は、ｉ番目の観測局の警報レベルＬｉは０かどうかを判定する。この判定の結果がＮＯ、すなわちｉ番目の観測局の警報レベルＬｉは１以上であれば、Ｓ２１０に進む。また、この判定の結果がＹＥＳ、すなわちｉ番目の観測局の警報レベルＬｉは０であれば、Ｓ２１６に進む。
【００９９】
Ｓ２１２で警報表示装置１００の決定部１２６は、円図形におけるｉ番目の扇状領域の中心角θｉを求める。たとえば、ｉ番目の観測局の警報レベルがＬｉの場合、ｉ番目の扇状領域の中心角θｉは、
【数２】
2014182766.tif 000007
で計算される。
【０１００】
次のＳ２１４で警報表示装置１００の決定部１２６は、警報発生局の数を表すパラメータｋの値を１つ増やす。そして、処理はＳ２１６に進む。
【０１０１】
Ｓ２１６では、警報発生局の数を表すパラメータｋの値は警報が発生した観測局の数ｃより小さいかどうかを判定する。この判定の結果がＮＯ、すなわちｋの値は警報が発生した観測局の数ｃ以上である場合は、Ｓ２１８に進む。また、この判定の結果がＹＥＳ、すなわちｋの値は警報が発生した観測局の数ｃより小さい場合は、Ｓ２０８に進む。
【０１０２】
Ｓ２１８で警報表示装置１００の決定部１２６は、円図形におけるｉ番目の領域の中心角θｉを降順にソートする。この処理を行うことによって、円図形には、１２時の方向から時計回りに、警報レベルが高い観測点で計測されたデータに対応する警報レベルが表示される。本ステップの処理は省略することもできる。
【０１０３】
本ステップの処理を省略した場合、円図形には、１２時の方向から時計回りに観測局を示すインデックスｉの順に観測点で計測されたデータに対応する警報レベルが表示される。
【０１０４】
図１０は、図９の処理の結果として生成されるテーブルの例である。
図１０のｅｘ１）では、ｉ＝１の観測局の計測値は警報レベル２（Ｌｉ＝２）であり、ｉ＝２、３の観測局の計測値はともに警報レベル１（Ｌｉ＝１）である状況である。この場合、ｉ＝１の観測局の計測値に対応する扇形領域の中心角は１８０度、ｉ＝２、３の観測局に対応する扇形の中心角はともに９０度である。
【０１０５】
図１０のｅｘ２）では、ｉ＝１、２、３、４の観測局の計測値はともに警報レベル１（Ｌｉ＝１）である状況である。この場合、ｉ＝１、２、３、４の観測局の計測値に対応する扇形領域の中心角は全て９０度である。
【０１０６】
図１０のｅｘ３）では、ｉ＝１、２、３の観測局の計測値はともに警報レベル２（Ｌｉ＝２）であり、ｉ＝４、５の観測局の計測値はともに警報レベル１（Ｌｉ＝１）である状況である。この場合、ｉ＝１、２、３の観測局の計測値に対応する扇形領域の中心角は９０度、ｉ＝４、５の観測局に対応する扇形の中心角はともに４５度である。
【０１０７】
図１０のｅｘ４）では、ｉ＝１の観測局の計測値は警報レベル３（Ｌｉ＝３）であり、ｉ＝２、３の観測局の計測値はともに警報レベル２（Ｌｉ＝２）、ｉ＝４の観測局の計測値は警報レベル１（Ｌｉ＝１）である状況である。
【０１０８】
図５に戻って、次のＳ３００で警報表示装置１００の決定部１２６は、警報発生局の対象領域の点灯をする。
【０１０９】
図３Ｂの例では、決定部１２６は表示出力部１３０に、表示部１１０のストリップ２０１ａ、２０１ｂを点灯するように指令を出し、表示部１１０はストリップ２０１ａ、２０１ｂを点灯する。
【０１１０】
図３Ｃの例では、決定部１２６は表示出力部１３０に、表示部１１０のストリップ２０１ａ、２０２ａ、２０１ｂ、２０２ｂ、および２０１ｃを点灯するように指令を出し、表示部１１０はストリップ２０１ａ、２０２ａ、２０１ｂ、２０２ｂ、および２０１ｃを点灯する。
【０１１１】
図１１は、図５のＳ３００の処理についての詳しい処理の流れを示すフローチャートである。
Ｓ３０２で警報表示装置１００の決定部１２６は、パラメータの初期化を行う。本処理でのパラメータは、警報発生局の数を表す整数ｋである。これらをたとえば、ｋ＝１のように初期値に設定する。そして、処理はＳ３０４に進む。
【０１１２】
Ｓ３０４で警報表示装置１００の決定部１２６は、警報が発生した観測局の数ｃは０かどうかを判定する。この判定がＮＯ、すなわち警報が発生した観測局の数ｃは１以上であれば、Ｓ３０６に進む。また、この判定がＹＥＳ、すなわち警報が発生した観測局の数ｃは０であれば、処理は終了する。
【０１１３】
Ｓ３０６で、ｉ番目の扇形領域の（内側から）Ｌｉ番目のストリップまで点灯させる。そして、処理はＳ３０８に進む。
【０１１４】
Ｓ３０８では、警報発生局の数を表すパラメータｋの値を１つ増やす。そして、処理はＳ３１０に進む。
【０１１５】
Ｓ３１０では、警報発生局の数を表すパラメータｋの値は警報が発生した観測局の数ｃより小さいかどうかを判定する。この判定の結果がＮＯ、すなわちｋの値は警報が発生した観測局の数ｃ以上である場合は、処理は終了する。また、この判定の結果がＹＥＳ、すなわちｋの値は警報が発生した観測局の数ｃより小さい場合は、Ｓ３０４に進む。
【０１１６】
このような処理によって、流域に設置されている複数の観測局に備えられる計測器の計測値に対応する警報レベルを一目で視認し、一つの河川の流域全体の雨量、水位状況を容易に判断することができる。
【０１１７】
以上の実施形態に関し、さらに以下の付記を開示する。
（付記１）
複数の計測器のそれぞれによって計測された複数の計測値と、複数の警報レベルの判定基準となる複数の判別値を含むデータを格納するデータ格納部と、
前記データ格納部に格納されている前記データに基づいて、前記計測器で計測された計測値に対応する前記警報レベルを決定し、さらに、前記複数の判別値のいずれかを超える値の前記計測値を計測した前記計測器である警報計測器の数を警報計測器数として取得し、所定の図形を前記警報計測器数に分割して得られる複数の部分図形のそれぞれをさらに前記複数の警報レベルの数に分割して複数のストリップの集まりに分割する仕方を図形分割法として決定する決定部と、
前記決定部で決定された前記図形分割法と、前記警報計測器と前記警報計測器で計測された計測値に対応する前記警報レベルに関する情報を出力する出力部と、
前記所定の図形の形状を有し、前記出力部から出力される前記分割法に基づいて、前記所定の図形を前記複数のストリップに分割し表示する表示部と、
を含む警報表示装置。
（付記２）
前記表示部前記所定の図形の形状を有し、前記出力部から出力される前記分割法に基づいて、前記所定の図形を前記複数のストリップに分割し、前記複数のストリップのうち前記警報計測器と前記警報計測器で計測された計測値に対応する前記警報レベルで指定されるストリップを強調表示する、付記１の警報表示装置。
（付記３）
決定部は、前記所定の図形を前記警報計測器数の前記複数の部分図形に分割する際、前記複数の部分図形の面積は、前記警報計測器で計測された前記計測値に対応する前記警報レベルに比例する、付記１または２の警報表示装置。
（付記４）
決定部は、前記所定の図形を前記警報計測器数に分割して得られる前記部分図形をさらに前記複数の警報レベルの数に分割する際、前記所定の図形を同心図形によって分割する、付記１乃至３のいずれか一項に記載の警報表示装置。
（付記５）
さらに、前記警報表示装置の利用者の入力を受ける操作部を備え、
表示部は、前記操作部が操作されると、前記複数のストリップの一部の前記強調表示の形態が変化する、付記１乃至４のいずれか一項の警報表示装置。
（付記６）
前記所定の図形は略円形であり、前記部分図形は扇形である、付記１乃至５のいずれか一項の警報表示装置。
（付記７）
前記決定部は、前記略円形を前記警報計測器数の前記複数の扇形に分割する際、前記複数の扇形の中心角は、前記警報計測器で計測された前記計測値に対応する前記警報レベルに比例する、付記６の警報表示装置。
（付記８）
前記決定部は、前記略円形を前記警報計測器数に分割して得られる前記扇形をさらに前記複数の警報レベルの数に分割する際、前記略円形を同心円によって、半径方向に等間隔に分割する、付記６または７の警報表示装置。
（付記９）
前記強調表示は、ランプの点灯状態または点滅状態である、付記１乃至８のいずれか一項の警報表示装置。
（付記１０）
コンピュータによって実行される警報表示方法であって、
複数の計測器のそれぞれによって計測された複数の計測値と、複数の警報レベルの判定基準となる複数の判別値を含むデータに基づいて、前記計測器で計測された計測値に対応する前記警報レベルを決定する工程ことと、
前記複数の判別値のいずれかを超える値の前記計測値を計測した前記計測器である警報計測器の数を警報計測器数として取得し、所定の図形を前記警報計測器数に分割して得られる複数の部分図形のそれぞれをさらに前記複数の警報レベルの数に分割して複数のストリップの集まりに分割する仕方を図形分割法として決定する工程と、
前記分割法に基づいて、前記所定の図形を前記複数のストリップに分割し表示する工程と、
を含む警報表示方法。
（付記１１）
さらに、前記複数のストリップのうち前記警報計測器と前記警報計測器で計測された計測値に対応する前記警報レベルで指定されるストリップを強調することを含む、付記１０の警報表示装置。
（付記１２）
前記所定の図形を前記警報計測器数の前記複数の部分図形に分割する際、前記複数の部分図形の面積は、前記警報計測器で計測された前記計測値に対応する前記警報レベルに比例する、付記１０または１１に記載の警報表示方法。
（付記１３）
前記所定の図形を前記警報計測器数に分割して得られる前記部分図形をさらに前記複数の警報レベルの数に分割する際、前記所定の図形を同心図形によって分割する、付記１０乃至１２のいずれか一項に記載の警報表示方法。
（付記１４）
さらに、
利用者の入力を受けることと、
前記利用者の入力に応答して、前記複数のストリップの一部の前記強調表示の形態が変化する、付記１０乃至１３のいずれか一項に記載の警報表示方法。
（付記１５）
前記所定の図形は略円形であり、前記部分図形は扇形である、付記１０乃至１４のいずれか一項に記載の警報表示方法。
（付記１６）
前記略円形を前記警報計測器数の前記複数の扇形に分割する際、前記複数の扇形の中心角は、前記警報計測器で計測された前記計測値に対応する前記警報レベルに比例する、付記１５に記載の警報表示方法。
（付記１７）
前記略円形を前記警報計測器数に分割して得られる前記扇形をさらに前記複数の警報レベルの数に分割する際、前記略円形を同心円によって、半径方向に等間隔に分割する、付記１５または１６に記載の警報表示方法。
（付記１８）
前記強調表示は、ランプの点灯状態または点滅状態である、付記１０乃至１７のいずれか一項に記載の警報表示方法。
（付記１９）
所定の流域内に配置され、それぞれ計測値を計測し複数の計測値を得る複数の計測器と、
警報表示装置であって、
前記複数の計測器のそれぞれによって計測された前記複数の計測値と、複数の警報レベルの判定基準となる複数の判別値を含むデータを格納するデータ格納部と、
前記データ格納部に格納されている前記データに基づいて、前記計測器で計測された計測値に対応する前記警報レベルを決定し、さらに、前記複数の判別値のいずれかを超える値の前記計測値を計測した前記計測器である警報計測器の数を警報計測器数として取得し、所定の図形を前記警報計測器数に分割して得られる複数の部分図形のそれぞれをさらに前記複数の警報レベルの数に分割して複数のストリップの集まりに分割する仕方を図形分割法として決定する決定部と、
前記決定部で決定された前記図形分割法と、前記警報計測器と前記警報計測器で計測された計測値に対応する前記警報レベルに関する情報を出力する出力部と、
前記所定の図形の形状を有し、前記出力部から出力される前記分割法に基づいて、前記所定の図形を前記複数のストリップに分割し表示する表示部と、
を含む警報表示装置と、
を含む警報システム。
（付記２０）
前記警報表示装置の前記表示部は、前記複数のストリップのうち前記警報計測器と前記警報計測器で計測された計測値に対応する前記警報レベルで指定されるストリップを強調する、付記１９に記載の警報システム。
（付記２１）
前記複数の計測器は、前記流域内を流れる河川に配置される、付記１９または２０に記載の警報システム。
（付記２２）
前記複数の計測器は前記河川の水位を計測する、付記１９乃至２１のいずれか一項に記載の警報システム。
（付記２３）
前記警報表示装置の前記決定部は、前記所定の図形を前記警報計測器数の前記複数の部分図形に分割する際、前記複数の部分図形の面積は、前記警報計測器で計測された前記計測値に対応する前記警報レベルに比例する、付記１９乃至２２のいずれか一項に記載の警報システム。
（付記２４）
前記警報表示装置の前記決定部は、前記所定の図形を前記警報計測器数に分割して得られる前記部分図形をさらに前記複数の警報レベルの数に分割する際、前記所定の図形を同心図形によって分割する、付記１９乃至２３のいずれか一項に記載の警報システム。
（付記２５）
さらに、前記警報表示装置利用者の入力を受ける操作部を備え、
前記警報表示装置の前記表示部は、前記操作部が操作されると、前記複数のストリップの一部の前記強調表示の形態が変化する、付記１９乃至２４のいずれか一項の警報システム。
（付記２６）
前記所定の図形は略円形であり、前記部分図形は扇形である、付記１９乃至２５のいずれか一項の警報システム。
（付記２７）
前記警報表示装置の前記決定部は、前記略円形を前記警報計測器数の前記複数の扇形に分割する際、前記複数の扇形の中心角は、前記警報計測器で計測された前記計測値に対応する前記警報レベルに比例する、付記２６の警報システム。
（付記２８）
前記警報表示装置の前記決定部は、前記略円形を前記警報計測器数に分割して得られる前記扇形をさらに前記複数の警報レベルの数に分割する際、前記略円形を同心円によって、半径方向に等間隔に分割する、付記２６または２７の警報システム。
（付記２９）
前記強調表示は、ランプの点灯状態または点滅状態である、付記１９乃至２８のいずれか一項の警報システム。
【符号の説明】
【０１１８】
１００  警報表示装置
１０４  端末Ａ
１１０  表示部
１１４  表示制御部
１１６  操作部
１２２  入力処理部
１２４  データ格納部
１２６  決定部
１２８  操作入力部
１３０  表示出力部
【図２】
2014182766.tif 000008
【図４】
2014182766.tif 000009
【図５】
2014182766.tif 000010
【図６】
2014182766.tif 000011
【図７】
2014182766.tif 000012
【図８】
2014182766.tif 000013
【図９】
2014182766.tif 000014
【図１０】
2014182766.tif 000015
【図１１】
2014182766.tif 000016
【図１】
2014182766.tif 000017
【図３Ａ】
2014182766.tif 000018
【図３Ｂ】
2014182766.tif 000019
【図３Ｃ】
2014182766.tif 000020